(57)【要約】【課題】多芯アダプタに取り付けられる光固定減衰器のフェルールの光路ずれを防止する。【解決手段】光固定減衰器１は、多芯アダプタに列状となって形成された複数の差込口のそれぞれに差し込まれるアダプタ結合部２が一端側に形成されると共に、プラグが挿入されるプラグ結合部３が他端側に形成されている。プラグ結合部３の外殻が略四角筒断面のケーシング５によって形成されており、ケーシング５における対向面に、長溝１２が形成されると共に挿入されるプラグの案内を行う薄肉の案内板１３，１３がプラグ挿入部位を部分的に覆うように長溝１２の両側に形成される。【選択図】　　　　　図１
2004038001.tif 000002
【特許請求の範囲】
【請求項１】
多芯アダプタに列状となって形成された複数の差込口のそれぞれに差し込まれるアダプタ結合部が一端側に形成されると共に、プラグが挿入されるプラグ結合部が他端側に形成された光固定減衰器において、
前記プラグ結合部の外殻が略四角筒断面のケーシングによって形成されており、このケーシングにおける対向面に、長溝が形成されると共に挿入されるプラグの案内を行う薄肉の案内板がプラグ挿入部位を部分的に覆うように長溝の両側に形成されていることを特徴とする光固定減衰器。
【請求項２】
前記ケーシングは、前記アダプタ結合部から平行となって延びる一対の取付板部と、コ字形に形成され取付板部を抱持した状態で取付板部に固定されることにより前記プラグ挿入部位を部分的に覆い且つ相互の離隔状態となって前記長溝を形成する薄肉状の一対の案内用板部とを備えていることを特徴とする請求項１記載の光固定減衰器。
【請求項３】
相互に係合して取付板部に対する案内用板部の位置決めを行う位置決め手段が前記取付板部と案内用板部との間に形成されていることを特徴とする請求項２記載の光固定減衰器。
【請求項４】
多芯アダプタに列状となって形成された複数の差込口のそれぞれに差し込まれるアダプタ結合部が一端側に形成されると共に、プラグが挿入されるプラグ結合部が他端側に形成された光固定減衰器の製造方法であって、
平行となって延びる一対の取付板部を前記アダプタ結合部に一体的に形成し、コ字形に形成された薄肉状の一対の案内用板部を前記取付板部を抱持させた状態で取付板部に固定することにより、対向面に長溝を有すると共に長溝の両側にプラグ挿入部位を部分的に覆う案内板を有した略四角筒断面形状のケーシングを形成することを特徴とする光固定減衰器の製造方法。
【発明の詳細な説明】
【０００１】
【発明の属する技術分野】
本発明は、アダプタ及びプラグとの間に配置される光固定減衰器及びその製造方法に関する。
【０００２】
【従来の技術】
図１３及び図１４は、一般的な光固定減衰器１００を示す。この光固定減衰器１００は図１３に示すように、一端側のアダプタ結合部１１０と他端側のプラグ結合部１２０とが一直線状に連設された形状となっている。
【０００３】
アダプタ結合部１１０は、図１４（ａ）に示すアダプタ２００に差し込まれる。一方、プラグ結合部１２０は図示を省略したプラグが挿入される。このため、プラグ結合部１２０は断面が略四角筒形状のケーシング１２１を有しており、このケーシング１２１の内部がプラグの挿入口１２２となっている。
【０００４】
アダプタ２００は図１４に示すように、光固定減衰器１００が複数本（８本）装着される多芯アダプタであり、複数の差込口２１０が一列となって配置されている。差込口２１０は、隣接している２つが一組となっており、組となっている２つの差込口２１０は相互に連通状態となっている。
【０００５】
このようなアダプタ２００の差込口２１０に対して、光固定減衰器１００のアダプタ結合部１１０を差し込むことにより、アダプタ２００のフェルール挿入孔２２０と光固定減衰器１００のフェルール挿入孔１２５とが直線上で一致するようになる。
【０００６】
しかしながら、光固定減衰器１００を図１４（ａ）に示す多芯アダプタ２００に接続する場合、組となっている差込口２１０におけるフェルール挿入孔２２０の間隔ｄに対し、これらの差込口に差し込まれる光固定減衰器１００におけるフェルール挿入孔１２５の間隔Ｄが大きい（ｄ＜Ｄ）ことから、隣接するプラグ結合部１２０のケーシング１２１がぶつかり合う。このため、組となっている差込口２１０に対しては、２本の光固定減衰器１００を装着することができないものとなっている。
【０００７】
このような問題点を解決するため、出願人は、図１５〜図１７に示す改良された光固定減衰器を既に出願している（特願２００２−９０３３３号）。この光固定減衰器３００は、図１５に示すように、アダプタ結合部３１０に連設されたプラグ結合部３２０が上面部分を切り欠いた形状となっている。すなわち、プラグ結合部３２０は内部ハウジング３３０が挿入される略四角筒断面形状のケーシング３４０を有しているが、このケーシング３４０の上面部分が削除されている。また、ケーシング３４０の下面部分には、一対の案内板３５０が離隔状に形成されている。案内板３５０は後端部のプラグ挿入口３６０からケーシング３４０に挿入されるプラグ１５０（図１７参照）のガイド突条１５１を案内するものである。
【０００８】
このような構造の光固定減衰器３００は、上面部分が削除されることにより、ケーシング３４０の厚さが小さくなっている。従って、図１６に示すようにアダプタ２００に光固定減衰器３００を隣接して取り付けても、そのフェルール挿入孔３６０の間隔Ｍがアダプタ２００の隣接しているフェルール挿入孔２２０の間隔ｍと一致する（ｍ＝Ｍ）。このため、アダプタの組となっている全ての差込口２１０に対して光固定減衰器３００を取り付けることが可能となる。
【０００９】
【発明が解決しようとする課題】
しかしながら、図１５に示す光固定減衰器３００においては、ケーシング３４０に取り付けたプラグ１５０やそのコードに対して、図１７の矢印Ｆで示す上方に外力が作用すると、プラグ１５０が同方向に容易に変位し易いものとなっている。そして、この変位によってフェルールが光路から外れて光が遮断されるため、光の伝送ができなくなる問題を有している。
【００１０】
本発明は、このような従来の問題点を考慮してなされたものであり、アダプタの全ての差込口に対しての取り付けが可能な構造であっても、プラグが容易に変位することがなく、光伝送を確実に行うことが可能な光固定減衰器及びその製造方法を提供することを目的とする。
【００１１】
【課題を解決するための手段】
上記目的を達成するため、請求項１の発明の光固定減衰器は、多芯アダプタに列状となって形成された複数の差込口のそれぞれに差し込まれるアダプタ結合部が一端側に形成されると共に、プラグが挿入されるプラグ結合部が他端側に形成された光固定減衰器において、前記プラグ結合部の外殻が略四角筒断面のケーシングによって形成されており、このケーシングにおける対向面に、長溝が形成されると共に挿入されるプラグの案内を行う薄肉の案内板がプラグ挿入部位を部分的に覆うように長溝の両側に形成されていることを特徴とする。
【００１２】
この発明では、長溝の両側に設けられている案内板に沿ってプラグをケーシングに挿入することにより、プラグの取り付けが行われる。このとき、案内板が薄肉となっているため、ケーシングの厚さが小さくなり、アダプタの全ての差込口に取り付けることが可能となる。
【００１３】
また、この発明では、案内板がプラグ挿入部位を部分的に覆っていると共に、ケーシングの対向面に形成されているため、ケーシング内に挿入されたプラグを安定して取り付けることができる。このため、プラグやそのコードに外力が作用しても、プラグが容易に変位することがなく、フェルールが光路からずれることがなく、光伝送を確実に行うことができる。
【００１４】
請求項２の発明は、請求項１記載の光固定減衰器であって、前記ケーシングは、前記アダプタ結合部から平行となって延びる一対の取付板部と、コ字形に形成され取付板部を抱持した状態で取付板部に固定されることにより前記プラグ挿入部位を部分的に覆い且つ相互の離隔状態となって前記長溝を形成する薄肉状の一対の案内用板部とを備えていることを特徴とする。
【００１５】
この発明では、案内用板部がコ字形となっているため、一対の取付板部を抱持するように案内用板部を取り付けることにより、対向面に長溝及び案内板を有したケーシングを形成することができる。
【００１６】
請求項３の発明は、請求項２記載の光固定減衰器であって、相互に係合して取付板部に対する案内用板部の位置決めを行う位置決め手段が前記取付板部と案内用板部との間に形成されていることを特徴とする。
【００１７】
このように位置決め手段を設けることにより、案内用板部を正確に取付板部に取り付けることができるため、高精度の組み付けを行うことができる。
【００１８】
請求項４の発明の光固定減衰器の製造方法は、多芯アダプタに列状となって形成された複数の差込口のそれぞれに差し込まれるアダプタ結合部が一端側に形成されると共に、プラグが挿入されるプラグ結合部が他端側に形成された光固定減衰器の製造方法であって、平行となって延びる一対の取付板部を前記アダプタ結合部に一体的に形成し、コ字形に形成された薄肉状の一対の案内用板部を前記取付板部を抱持させた状態で取付板部に固定することにより、対向面に長溝を有すると共に長溝の両側にプラグ挿入部位を部分的に覆う案内板を有した略四角筒断面形状のケーシングを形成することを特徴とする。
【００１９】
この発明では、コ字形となっている一対の案内用板部を一対の取付板部を抱持するように取り付けることにより、対向面に長溝及び案内板を対向面に有したケーシングを形成することができ、ケーシングを簡単に組み立てることが可能となる。
【００２０】
【発明の実施の形態】
以下、本発明を図示する実施の形態により具体的に説明する。なお、各実施の形態において、同一の部材には同一の符号を付して対応させてある。
【００２１】
（実施の形態１）
図１〜図５は、本発明の実施の形態１における光固定減衰器を示し、図１は光固定減衰器の斜視図、図２は図１におけるＢ−Ｂ線断面図、図３及び図４はケーシングの組み立てを示す斜視図、図５はアダプタ及びプラグに対する関係を示す斜視図である。
【００２２】
光固定減衰器１は、図１及び図２に示すように一端側のアダプタ結合部２と、他端側のプラグ結合部３とが一直線状に連設されることにより形成されている。アダプタ結合部２は、図５に示すようにアダプタ３０の差込口３１に差し込まれるものであり、プラグ結合部３にはプラグ４０が挿入されることにより取り付けられる。
【００２３】
アダプタ結合部２の差し込みを行うための差し込み口３１は、アダプタ３０の縦方向に列状となって複数（８個）が形成されている。従って、この実施の形態におけるアダプタ３０は多芯アダプタとなっている。この多芯アダプタ３０においては、２つの差込口３１が一組となっており、各組の境界部分には仕切板３３が設けられている。それぞれの組となっている差込口３１の間には、細板状の離隔板３５が両側に設けられている。
【００２４】
光固定減衰器１におけるアダプタ結合部２の上面には、差込時における案内を行うためのガイド突条４が長さ方向に形成されており、組となっている差込口３１の上部には、ガイド突条４を案内するガイド溝３２が形成されている。なお、組となっている差込口３１に設けた離隔板３５の間も、ガイド突条４を案内するように作用する。
【００２５】
プラグ結合部３には、プラグ４０を挿入するためのケーシング５が設けられている。ケーシング５は略四角筒状の断面となるように形成されており、その基部（図１及び図２における右端部）がプラグ４０の挿入口５ａとなっている。この挿入口５ａに対しては、内部ハウジング６が挿入されて嵌合される。
【００２６】
内部ハウジング６は、長手方向に貫通するフェルール挿入孔７を有しており、このフェルール挿入孔７内に、割スリーブ８を介在した状態でフェルール９が挿入されている。この内部ハウジング６はフェルール９が挿入された状態でケーシング５の挿入口５ａからアダプタ結合部２にかけて挿入される。そして、内部ハウジング６が挿入された状態においては、フェルール９の先端がアダプタ結合部２の先端から突出した状態となっている。なお、内部ハウジング６には、ケーシング５に挿入されるプラグ３０に係合して保持を行う一対の係止爪１０が側面部分に形成されている。
【００２７】
ケーシング５における上下で対向している対向面には、長溝１２と、案内板１３，１３とが形成されている。長溝１２はケーシング５の上下面における略中央部分に長手方向に沿って形成されており、案内板１３，１３は長溝１２を挟むようにその両側に形成されている。長溝１２はプラグ４０に形成されているガイド突条４１が挿入されるものであり、長溝１２に挿入されたガイド突条４１は案内板１３，１３に挟まれて案内が行われる。上下それぞれの面における案内板１３，１３は、薄肉となっており、これによりケーシング５全体の厚さが小さくなっている。従って、アダプタ３０の全ての差込口３１に対して光固定減衰器１を取り付けることが可能となっている。
【００２８】
図３及び図４は、ケーシング５を組み付ける手順を示すものであり、ケーシング５はアダプタ結合部２から平行となって延びる左右一対の取付板部１５，１５と、コ字形に形成された案内用板部１６，１６とによって構成されている。案内用板部１６，１６は、薄肉の板部材が用いられるものである。
【００２９】
一対の取付板部１５，１５は、ケーシング５の側面を形成するためのものである。一方、それぞれの案内用板部１６，１６は、側面部１６ａの上下端部から屈曲面部１６ｂ，１６ｃが同じ方向に屈曲状に連設されることによりコ字形となっている。この案内用板部１６，１６は、取付板部１５，１５を抱持するようにして取付板部１５，１５に取り付けられる。すなわち、屈曲面部１６ｂ，１６ｃを対向させた状態で、側面部１６ａをそれぞれの取付板部１５，１５に外側から当接させるように案内用板部１６，１６を取付板部１５，１５に取り付けるものである。このような構造では、案内板１３，１３を形成する案内用板部１６，１６の内部に取付板部１５，１５が設けられているため、ケーシング５の全体に強度を付与することができる。
【００３０】
この実施の形態において、取付板部１５，１５に対する案内用板部１６，１６の位置決めを行うための位置決め手段がこれらに設けられている。位置決め手段は、取付板部１５，１５の外面に離隔して形成された矩形状の位置決め凸部１７，１７と、位置決め凸部１７，１７と対向するように案内用板部１６，１６の側面部１６ａに形成された矩形の位置決め孔１８，１８とによって構成されており、位置決め凸部１７，１７と位置決め孔１８，１８とが嵌合することにより、案内用板部１６，１６及び取付板部１５，１５の位置決めが行われる。これにより、ケーシング５を高精度に組み立てることができる。
【００３１】
なお、位置決め状態で組み付けた取付板部１５，１５及び案内用板部１６，１６に対しては、溶接処理を行うことによりこれらが相互に固定されてケーシング５が組み立てられる。図１において、２０は溶接箇所であり、取付板部１５，１５の位置決め凸部１７，１７と、案内用板部１６，１６の側面部１６ａ，１６ａとにかけて施されている。
【００３２】
以上のようにして、案内用板部１６，１６を取付板部１５，１５に組み付けて固定することにより、屈曲面部１６ｂ，１６ｃがケーシング５の案内板１３，１３となり、上下で対向している案内用板部１６，１６の屈曲面部１６ｂ，１６ｃの間が長溝１２となる。
【００３３】
案内板１３，１３はケーシング５に挿入されるプラグ４０に長さ方向に沿って形成されているガイド突条４１を案内するように作用する。また、案内板１３，１３は、長溝１２を除いた部分でケーシング５の上下面を覆っており、これにより、案内板１３，１３はプラグ挿入部位を部分的に覆うようになっている。
【００３４】
このようにしてケーシング５を組み付けた後、挿入口５ａから内部ハウジング６を挿入して取り付けることにより光固定減衰器１を作製することができる。この場合、内部ハウジング６をケーシング５の定位置に固定するため、内部ハウジング６に係合する矩形の固定用孔１９が上側の案内板１３に形成されている。
【００３５】
以上のような実施の形態では、ケーシング５の上下の対向面に設けた案内板１３，１３が薄肉となっているため、ケーシング５全体の厚さが小さくなっており、これにより、アダプタ３０における隣接した差込口３１に対しての差し込みが可能となる。また、案内板１３，１３がケーシング５におけるプラグ挿入部位を覆っていると共にケーシング５の上下面に設けられているため、プラグ４０をケーシング５に安定して取り付けることができる。従って、プラグ４０やそのコードに外力が作用しても、プラグ４０が容易に変位することがなく、フェルール９が光路からずれることがなく、光伝送を確実に行うことができる。
【００３６】
（実施の形態２）
図６〜図１０は、本発明の実施の形態２を示し、図６及び図７はケーシングの斜視図であり、図８はその光固定減衰器の全体、図９はアダプタ及びプラグとの関係、図１０はアダプタへの取り付け関係である。
【００３７】
図６及び図７に示すように、この実施の形態のケーシング５は、一対の取付板部１５，１５がアダプタ結合部２から平行となって後側に延びており、この取付板部１５，１５に対してコ字形の案内用板部１６，１６が取り付けられる。取付板部１５，１５は、アダプタ結合部２側に直交方向に沿って形成した支持板部２１から延設されている。
【００３８】
支持板部２１の長さ方向の中央部分には、段状に高くなった位置決め段部２２が形成されている。また、それぞれの取付板部１５，１５の後方側には、矩形状の位置決め凸部１７が一箇所に形成されており、案内用板部１６，１６の側面部１６ａの対応部分には、位置決め凸部１７が嵌合する位置決め孔１８が形成されている。これらの位置決め段部２２及び位置決め凸部１７、位置決め孔１８は、取付板部１５，１５に対して案内用板部１６，１６を位置決めする位置決め手段として機能するものである。すなわち、案内用板部１６，１６がそれぞれの取付板部１５，１５を抱持するように取付板部１５，１５に取り付ける際に、案内用板部１６，１６の上側の屈曲面部１６ｂが位置決め段部２２を挟むようにして位置決め段部２２に当接すると共に、側面部１６ａの位置決め孔１８に取付板部１５の位置決め凸部１７が嵌合して位置決めを行うものである。
【００３９】
以上のような位置決めの後、溶接部２０を位置決め段部２２側及び位置決め凸部１７側に形成することにより、案内用板部１６，１６を取付板部１５，１５に固定してハウジング５を組み立てる。そして、図８に示すように内部ハウジング６を挿入することにより、光固定減衰器１を形成し、挿入口５ａからプラグ４０をケーシング５に挿入して取り付け、この取付状態でアダプタ結合部２をアダプタ３０の差込口３１に差し込んで使用する。
【００４０】
この実施の形態においても、案内用板部１６，１６が薄肉の板部材によって形成されており、これにより案内板１３，１３が薄肉となっている。従って、図１０に示すように、光固定減衰器１を隣接してアダプタ３０に取り付ける際に、そのフェルール９（フェルール挿入孔７）の間隔がアダプタのフェルール挿入孔３６の間隔と一致するため、全ての差込口３１に対して光固定減衰器１を取り付けることができる。
【００４１】
また、案内板１３，１３がケーシング５におけるプラグ挿入部位を覆っているため、プラグ４０やそのコードに外力が作用しても、プラグ４０が容易に変位することがなく、フェルール９が光路からずれることがなく、光伝送を確実に行うことができる。
【００４２】
（実施の形態３）
図１１及び図１２は、本発明の実施の形態３を示す。この実施の形態においては、一対の案内用板部１６，１６だけによってケーシング５を構成するものであり、取付板部１５，１５が形成されることがない点で実施の形態１及び２と異なっている。
【００４３】
一対の案内用板部１６，１６は、側面部１６ａの上下端部から上下の屈曲面部１６ｂ，１６ｃが屈曲状に連設されることによりコ字形に形成されている。この場合、側面部１６ａは幾分、厚肉となって案内用板部１６，１６に強度を付与している。屈曲面部１６ｂ，１６ｃはプラグ結合部３のケーシング５における案内板１３，１３となるものであり、薄肉状に成形されている。
【００４４】
この実施の形態において、アダプタ結合部２の後端部には、実施の形態２と同様に、厚肉の支持板部２１が直交するように一体的に形成されていると共に、支持板部２１の長さ方向の中央部分には、位置決め段部２２が段状に高くなるように形成されている。また、支持板部２１は左右の側面には、矩形状の位置決め凸部２４が形成されている。これに対し、案内用板部１６，１６の側面部１６ａには、位置決め凸部２４が嵌合する矩形の位置決め孔２５が形成されている。これらの位置決め段部２２及び位置決め凸部２４、位置決め孔２５は案内用板部１６，１６を支持板部２１に対して位置決めする位置決め手段として作用するものである。
【００４５】
この実施の形態におけるケーシング５の組み立ては、支持板部２１を抱持するように一対の案内用板部１６，１６を支持板部２１の左右側から嵌め合わせ、その上側の屈曲面部１６ｂを位置決め段部２２に当接させると共に、位置決め孔２５に位置決め凸部２４を嵌合させる。これにより、一対の案内用板部１６，１６が支持板部２１に位置決めされ、この状態に対して図１２に示すように溶接部２０を形成することにより、一対の案内用板部１６，１６を支持板部２１に固定する。溶接部２０は位置決め段部２２から案内用板部１６，１６の上側の屈曲面部１６ｂにかけて形成されると共に、位置決め凸部２４から案内用板部１６，１６の側面部１６ａにかけて形成されるものである。
【００４６】
以上のような取り付けにより、一対の案内用板部１６，１６がアダプタ結合部２から後側に延びてケーシング５となる。このケーシング５においては、一対の案内用板部１６，１６における薄肉状の屈曲面部１６ｂ，１６ｃがケーシング５の案内板１３，１３になると共に、上下で対応している屈曲面部１６ｂ，１６ｃの間が長溝１２となる。従って、案内板１３，１３がプラグ４０を上下から覆っているため、プラグ４０が容易に変位することがなく、光伝送を確実に行うことができる。
【００４７】
【発明の効果】
以上説明したように本発明によれば、プラグを案内する案内板が薄肉となっているため、ケーシングの厚さが小さくなり、アダプタの全ての差込口に取り付けることができ、しかも、案内板がプラグ挿入部位を部分的に覆っていると共に、ケーシングの対向面に形成されているため、プラグを安定して取り付けることができ、外力によってプラグが容易に変位することがなく、フェルールが光路からずれることがなく、光伝送を確実に行うことができる。
【図面の簡単な説明】
【図１】本発明の実施の形態１の光固定減衰器を示す斜視図である。
【図２】図１のＢ−Ｂ線断面図である。
【図３】ケーシングを組み立てる前の分解斜視図である。
【図４】ケーシングを組み立てた後の斜視図である。
【図５】光固定減衰器の使用状態を示す斜視図である。
【図６】実施の形態２のケーシングを組み立てる前の分解斜視図である。
【図７】実施の形態２のケーシングを組み立てた後の斜視図である。
【図８】実施の形態２の光固定減衰器の斜視図である。
【図９】光固定減衰器の使用状態を示す斜視図である。
【図１０】アダプタとの関係を示す端面図である。
【図１１】実施の形態３のケーシングを組み立てる前の分解斜視図である。
【図１２】実施の形態２のケーシングを組み立てた後の斜視図である。
【図１３】一般的な光固定減衰器の斜視図である。
【図１４】一般的な光固定減衰器とアダプタとの寸法関係を示す端面図である。
【図１５】改良された従来の光固定減衰器の斜視図である。
【図１６】改良された従来の光固定減衰器とアダプタとの寸法関係を示す端面図である。
【図１７】改良された従来の光固定減衰器の使用状態を示す斜視図である。
【符号の説明】
１　　光固定減衰器
２　　アダプタ結合部
３　　プラグ結合部
５　　ケーシング
１２　長溝
１３　案内板
１５　取付板部
１６　案内用板部
１７　位置決め凸部
１８　位置決め孔
２２　位置決め段部
３０　アダプタ
３１　差込口
４０　プラグ
４１　ガイド突条
【図１】
2004038001.tif 000003
【図２】
2004038001.tif 000004
【図３】
2004038001.tif 000005
【図４】
2004038001.tif 000006
【図５】
2004038001.tif 000007
【図６】
2004038001.tif 000008
【図７】
2004038001.tif 000009
【図８】
2004038001.tif 000010
【図９】
2004038001.tif 000011
【図１０】
2004038001.tif 000012
【図１１】
2004038001.tif 000013
【図１２】
2004038001.tif 000014
【図１３】
2004038001.tif 000015
【図１４】
2004038001.tif 000016
【図１５】
2004038001.tif 000017
【図１６】
2004038001.tif 000018
【図１７】
2004038001.tif 000019